【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
ワイヤレス通信における干渉を抑制する方法であって、
複数のシンボルのバーストを受信するステップと；
前記複数のシンボルのバーストについて、複数のタイミング仮説を生成するステップと；
前記複数のシンボルのバーストのサブセットに基づいて、前記複数のタイミング仮説の各々について、対応する複数のウェイトを、算出するステップと；
前記複数のタイミング仮説の各々について、前記対応する複数のウェイトを有する干渉抑制フィルタを使って、前記複数のシンボルのバーストの前記サブセットをフィルタリングするステップと；
前記複数のタイミング仮説の１つを選択するステップと、なお、前記複数のタイミング仮説の１つを選択することは、前記選択されたタイミング仮説のミッドアンブル推定誤差に基づいている；
前記選択されたタイミング仮説に対応する第１の複数のウェイトを有する干渉抑制フィルタを使って、前記複数のシンボルのバーストをフィルタリングするステップと；
前記複数のシンボルのバーストに対応するデータを生成するために、前記フィルタリングされた複数のシンボルのバーストを復号するステップと；
再符号化された複数のシンボルのバーストを生成するために、前記データを符号化するステップと；
前記再符号化された複数のシンボルのバーストに基づいて、前記干渉抑制フィルタについて第２の複数のウェイトを算出するステップと；
前記第２の複数のウェイトを有する前記干渉抑制フィルタを使って、前記再符号化された複数のシンボルのバーストをフィルタリングするステップと；
前記フィルタリングされた、再符号化された複数のシンボルのバーストを、復号するステップと；
を備える方法。
【請求項２】
前記ミッドアンブル推定誤差は、各タイミング仮説について、
前記タイミング仮説に対応する推定チャネルを決定し、
推定ミッドアンブルシーケンスを取得するために、前記推定チャネルに関する単一アンテナ干渉キャンセルを実行し、そして
前記ミッドアンブル推定誤差を決定するために、前記推定ミッドアンブルシーケンスを、前に知られているミッドアンブルシーケンスと比較すること、
によって、算出される、
請求項１に記載の方法。
【請求項３】
各シンボルに対応する前記推定チャネルを前記決定することは、前記推定チャネル中の複数のタップに対応する、前記サブセット中の複数の隣接シンボルを選択すること、を備える、
請求項４に記載の方法。
【請求項４】
前記複数のタイミング仮説を前記生成することは、前記複数のシンボルのバーストにおける第１のミッドアンブルシンボルの位置を推定することと、前記推定位置を中心とする複数のシンボルから、前記複数のシンボルのバーストの前記サブセットを選択することと、を備える、
請求項１に記載の方法。
【請求項５】
各タイミング仮説についての前記対応する複数のウェイトは、
【数１】
2012529252.tif 000001
を解くことによって算出される、
なお、
【数２】
2012529252.tif 000002
は複数のシンボルの前記サブセットの推定値に対応するベクトルであり、［Ｘ］は、前記複数のシンボルのバーストの時空間サンプルの行列である、
請求項１に記載の方法。
【請求項６】
前記第２の複数のウェイトは、
【数３】
2012529252.tif 000003
を解くことによって算出される、
なお、
【数４】
2012529252.tif 000004
は、複数のシンボルの前記サブセットの推定値に対応するベクトルであり、［Ｘ］は、前記複数のシンボルのバーストの時空間サンプルの行列である、
請求項１に記載の方法。
【請求項７】
前記フィルタリングされた複数のシンボルのバーストを前記復号することは、前記フィルタリングされた複数のシンボルのバーストに関して誤り訂正を実行すること、を含む、
請求項１に記載の方法。
【請求項８】
前記干渉抑制フィルタは、単一アンテナ干渉キャンセル（ＳＡＩＣ）フィルタまたはデュアルアンテナ干渉キャンセル（ＤＡＩＣ）フィルタである、
請求項１に記載の方法。
【請求項９】
前記干渉抑制フィルタは、前記再符号化された複数のシンボルのバーストをフィルタリングするために、前記複数のシンボルのバーストをフィルタリングするために使われるよりも高次のモデルを使う、
請求項１に記載の方法。
【請求項１０】
複数のシンボルのバーストを受信するように構成されたアンテナと；
前記複数のシンボルのバーストについて複数のタイミング仮説を生成するように構成されたタイミング推定器と；
前記複数のシンボルのバーストのサブセットに基づいて、前記複数のタイミング仮説の各々について、対応する複数のウェイトを算出するように構成されたプロセッサと；
前記複数のタイミング仮説の各々について、前記対応する複数のウェイトで、前記複数のシンボルのバーストの前記サブセットをフィルタリングし、そして、
選択されたタイミング仮説に対応する第１の複数のウェイトで、前記複数のシンボルのバーストをフィルタリングする、
ように構成された干渉抑制フィルタと、なお、前記プロセッサは、前記選択されたタイミング仮説のミッドアンブル推定誤差に基づいて、前記選択されたタイミング仮説を選択するように構成されている；
前記複数のシンボルのバーストに対応するデータを生成するために、前記フィルタリングされた複数のシンボルのバーストを復号するように構成された復号器と；
再符号化された複数のシンボルのバーストを生成するために、前記データを符号化するように構成された符号器と；
前記再符号化された複数のシンボルのバーストに基づいて、前記干渉抑制フィルタについて第２の複数のウェイトを算出するように構成された前記プロセッサと；
前記再符号化された複数のシンボルのバーストを、前記第２の複数のウェイトでフィルタリングするように構成された前記干渉抑制フィルタと；
前記フィルタリングされた、再符号化された複数のシンボルのバーストを復号するように構成された前記復号器と；
を備える受信機。
【請求項１１】
前記プロセッサは、各タイミング仮説について前記ミッドアンブル推定誤差を、
前記タイミング仮説に対応する推定チャネルを決定し、
推定ミッドアンブルシーケンスを取得するために、前記推定チャネルに関して単一アンテナ干渉キャンセルを実行し、そして、
前記ミッドアンブル推定誤差を決定するために、前記推定ミッドアンブルシーケンスを、前に知られているミッドアンブルシーケンスと比較する、
ことによって
算出するように構成されている、
請求項１０に記載の受信機。
【請求項１２】
各シンボルに対応する前記推定チャネルを前記決定することは、前記推定チャネル中の複数のタップに対応する、前記サブセット中の複数の隣接シンボルを選択すること、を備える、請求項１１に記載の受信機。
【請求項１３】
前記タイミング推定器は、
前記複数のシンボルのバースト中の第１のミッドアンブルシンボルの位置を推定し、前記推定位置を中心とする複数のシンボルから、前記複数のシンボルのバーストの前記サブセットを選択することによって、
前記複数のタイミング仮説を生成するように構成されている、
請求項１０に記載の受信機。
【請求項１４】
前記プロセッサは、
【数５】
2012529252.tif 000005
を解くことによって、各タイミング仮説について前記第１の複数のウェイトを算出するように構成されており、
なお、
【数６】
2012529252.tif 000006
は、複数のシンボルの前記サブセットの推定値に対応するベクトルであり、［Ｘ］は、前記複数のシンボルのバーストの時空間サンプルの行列である、
請求項１０に記載の受信機。
【請求項１５】
前記プロセッサは、
【数７】
2012529252.tif 000007
を解くことによって、前記第２の複数のウェイトを算出するように構成されており、
なお、
【数８】
2012529252.tif 000008
は、複数のシンボルの前記サブセットの推定値に対応するベクトルであり、［Ｘ］は、前記複数のシンボルのバーストの時空間サンプルの行列である、
請求項１０に記載の受信機。
【請求項１６】
前記フィルタリングされた複数のシンボルのバーストを前記復号することは、前記フィルタリングされた複数のシンボルのバーストについて誤り訂正を実行すること、を含む、
請求項１０に記載の受信機。
【請求項１７】
前記干渉抑制フィルタは、単一アンテナ干渉キャンセル（ＳＡＩＣ）フィルタまたはデュアルアンテナ干渉キャンセル（ＤＡＩＣ）フィルタである、
請求項１０に記載の受信機。
【請求項１８】
前記干渉抑制フィルタは、前記再符号化された複数のシンボルのバーストをフィルタリングするために、前記複数のシンボルのバーストをフィルタリングするために使われるよりも高次のモデルを使うように構成されている、
請求項１０に記載の受信機。
【請求項１９】
複数のシンボルのバーストを受信するための手段と、
第１の複数のウェイトで、前記複数のシンボルのバーストをフィルタリングするための干渉抑制手段と、
前記複数のシンボルのバーストに対応するデータを生成するために、前記フィルタリングされた複数のシンボルのバーストを復号するための復号化手段と、
再符号化された複数のシンボルのバーストを生成するために、前記データを符号化するための手段と、
前記再符号化された複数のシンボルのバーストに基づいて、前記干渉抑制手段について第２の複数のウェイトを算出するための手段と、
前記第２の複数のウェイトで、前記再符号化された複数のシンボルのバーストをフィルタリングするための前記干渉抑制手段と、
前記フィルタリングされた再符号化された複数のシンボルのバーストを復号するための前記復号化手段と、
を備える受信機。
【請求項２０】
前記複数のシンボルのバーストについて複数のタイミング仮説を生成するための手段と；
前記複数のシンボルのバーストのサブセットに基づいて、前記干渉抑制手段について対応する複数のウェイトを、各タイミング仮説について、算出するための手段と；
前記対応する複数のウェイトで、前記複数のシンボルのバーストの前記サブセットを、各タイミング仮説について、フィルタリングするための前記干渉抑制手段と；
選択基準に対応する、前記複数のタイミング仮説の１つを選択するための手段と、なお、前記選択されたタイミング仮説は、前記第１の複数のウェイトに対応する；
前記第１の複数のウェイトで、前記複数のシンボルのバーストをフィルタリングするための前記干渉抑制手段と；
をさらに備える、請求項１９に記載の受信機。
【請求項２１】
前記選択基準は、ミッドアンブル推定誤差である、請求項２０に記載の受信機。
【請求項２２】
各タイミング仮説について前記ミッドアンブル推定誤差を算出するための前記手段は、
前記タイミング仮説に対応する推定チャネルを決定するための手段と、
推定ミッドアンブルシーケンスを取得するために、前記推定チャネルに関して単一アンテナ干渉キャンセルを実行するための手段と、
前記ミッドアンブル推定誤差を決定するために、前記推定ミッドアンブルシーケンスを、前に知られているミッドアンブルシーケンスと比較するための手段と、
を備える、
請求項２１に記載の受信機。
【請求項２３】
各シンボルに対応する前記推定チャネルを決定するための前記手段は、前記推定チャネル中の複数のタップに対応する、前記サブセット中の所定の数の隣接シンボルを選択するための手段を備える、
請求項２２に記載の受信機。
【請求項２４】
前記複数のタイミング仮説を生成するための前記手段は、前記複数のシンボルのバースト中の第１のミッドアンブルシンボルの位置を推定するための手段と、前記推定位置を中心とする複数のシンボルから、前記複数のシンボルのバーストの前記サブセットを選択するための手段と、を備える、
請求項２０に記載の受信機。
【請求項２５】
各タイミング仮説について前記第１の複数のウェイトを算出するための前記手段は、
【数９】
2012529252.tif 000009
を解くための手段を備え、
【数１０】
2012529252.tif 000010
は、複数のシンボルの前記サブセットの推定値に対応するベクトルであり、［Ｘ］は、前記複数のシンボルのバーストの時空間サンプルの行列である、
請求項２０に記載の受信機。
【請求項２６】
前記第２の複数のウェイトを算出するための前記手段は、
【数１１】
2012529252.tif 000011
を解くための手段を備え、
【数１２】
2012529252.tif 000012
は、複数のシンボルの前記サブセットの推定値に対応するベクトルであり、［Ｘ］は、前記複数のシンボルのバーストの時空間サンプルの行列である、
請求項１９に記載の受信機。
【請求項２７】
前記フィルタリングされた複数のシンボルのバーストを前記復号することは、前記フィルタリングされた複数のシンボルのバーストについて誤り訂正を実行すること、を含む、
請求項１９に記載の受信機。
【請求項２８】
前記干渉抑制手段は、単一アンテナ干渉キャンセル（ＳＡＩＣ）フィルタまたはデュアルアンテナ干渉キャンセル（ＤＡＩＣ）フィルタを備える、請求項１９に記載の受信機。
【請求項２９】
前記干渉抑制手段は、前記再符号化された複数のシンボルのバーストをフィルタリングするために、前記複数のシンボルのバーストをフィルタリングするために使われるよりも高次のモデルを使うように構成されている、請求項１９に記載の受信機。
【請求項３０】
ワイヤレス通信における干渉を抑制するための命令を備える非一時的機械可読媒体であって、
前記命令は、
複数のシンボルのバーストを受信し；
前記複数のシンボルのバーストについて複数のタイミング仮説を生成し；
前記複数のシンボルのバーストのサブセットに基づいて、前記複数のタイミング仮説の各々について、対応する複数のウェイトを、算出し；
前記複数のタイミング仮説の各々について、前記対応する複数のウェイトを有する前記干渉抑制フィルタを使って、前記複数のシンボルのバーストの前記サブセットをフィルタリングし；
前記複数のタイミング仮説の１つを選択し、なお、前記複数のタイミング仮説の１つを選択することは、前記選択されたタイミング仮説のミッドアンブル推定誤差に基づいている；
前記選択されたタイミング仮説に対応する第１の複数のウェイトを有する干渉抑制フィルタを使って、前記複数のシンボルのバーストをフィルタリングし；
前記複数のシンボルのバーストに対応するデータを生成するために、前記フィルタリングされた複数のシンボルのバーストを復号し；
再符号化された複数のシンボルのバーストを生成するために、前記データを符号化し、
前記再符号化された複数のシンボルのバーストに基づいて、前記干渉抑制フィルタについて第２の複数のウェイトを算出し；
前記第２の複数のウェイトを有する前記干渉抑制フィルタを使って、前記再符号化された複数のシンボルのバーストをフィルタリングし；そして、
前記フィルタリングされた、再符号化された複数のシンボルのバーストを復号する；
ためのコードを備える、
非一時的機械可読媒体。
【請求項３１】
前記ミッドアンブル推定誤差は、
前記タイミング仮説に対応する推定チャネルを決定すること、
推定ミッドアンブルシーケンスを取得するために、前記推定チャネルについて単一アンテナ干渉キャンセルを実行すること、および
前記ミッドアンブル推定誤差を決定するために、前記推定ミッドアンブルシーケンスを、前に知られているミッドアンブルシーケンスと比較すること、
によって、各タイミング仮説について、算出される、
請求項３０に記載の非一時的機械可読媒体。
【請求項３２】
各シンボルに対応する前記推定チャネルを前記決定することは、前記推定チャネル中の複数のタップに対応する、前記サブセット中の複数の隣接シンボルを選択すること、を備える、
請求項３１に記載の非一時的機械可読媒体。
【請求項３３】
前記複数のタイミング仮説を前記生成することは、前記複数のシンボルのバーストにおける第１のミッドアンブルシンボルの位置を推定することと、前記推定位置を中心とする複数のシンボルから、前記複数のシンボルのバーストの前記サブセットを選択することと、を備える、請求項３０に記載の非一時的機械可読媒体。
【請求項３４】
各タイミング仮説について前記対応する複数のウェイトは、
【数１３】
2012529252.tif 000013
を解くことによって算出され、
【数１４】
2012529252.tif 000014
は、複数のシンボルの前記サブセットの推定値に対応するベクトルであり、［Ｘ］は、前記複数のシンボルのバーストの時空間サンプルの行列である、
請求項３０に記載の非一時的機械可読媒体。
【請求項３５】
前記第２の複数のウェイトは、
【数１５】
2012529252.tif 000015
を解くことによって算出され、
【数１６】
2012529252.tif 000016
は、複数のシンボルの前記サブセットの推定値に対応するベクトルであり、［Ｘ］は、前記複数のシンボルのバーストの時空間サンプルの行列である、
請求項３０に記載の非一時的機械可読媒体。
【請求項３６】
前記フィルタリングされた複数のシンボルのバーストを前記復号することは、前記フィルタリングされた複数のシンボルのバーストについて誤り訂正を実行すること、を含む、請求項３０に記載の非一時的機械可読媒体。
【請求項３７】
前記干渉抑制フィルタは、単一アンテナ干渉キャンセル（ＳＡＩＣ）フィルタまたはデュアルアンテナ干渉キャンセル（ＤＡＩＣ）フィルタである、請求項３０に記載の非一時的機械可読媒体。
【請求項３８】
前記干渉抑制フィルタは、前記再符号化された複数のシンボルのバーストをフィルタリングするために、前記複数のシンボルのバーストをフィルタリングするために使われるよりも高次のモデルを使うように構成されている、請求項３０に記載の非一時的機械可読媒体。
【手続補正２】
【補正対象書類名】明細書
【補正対象項目名】００５８
【補正方法】変更
【補正の内容】
【００５８】
前述の説明は、本明細書で開示した様々な態様をどの当業者も実施することを可能にするために提供される。こうした態様に対する様々な修正は、当業者には容易に明らかであり、本明細書で定義される包括的な原理は、他の態様に適用することができる。したがって、請求項は、本明細書で示した態様に限定されることを意図しているのではなく、請求項の文言(language claims)に整合する全範囲を与えられるべきであり、請求項では、単数形のエレメントへの言及は、「１つのみ(one and only one)」と特に記載されていない限り「１つのみ」を意味するようには意図されておらず、むしろ、「１つまたは複数(one or more)」を意味することを意図している。別段に明記されていない限り、「いくつかの(some)」という用語は、１つまたは複数(one or more)を指す。男性形の代名詞（たとえば、「彼の」）は、女性および中性（たとえば、「彼女の」および「それの」）を含み、その反対も成り立つ。当業者にとって知られ、または後になって知られるようになる、本開示を通して記載された様々な態様のエレメントのすべての構造的および機能的等価物(equivalents)は、参照により本明細書に明示的に組み込まれており、請求項によって包含されるように意図されている。さらに、本明細書で開示した内容は、このような開示が請求項に明示的に記載されているかどうかに関わらず、公共に提供されるようには意図されていない。請求項の構成要件（claim elements）は、「するための手段」というフレーズを使って、エレメントが明白に記載されていない限り、あるいは、方法の請求項の場合では、「するステップ」というフレーズを使って、エレメントが記載されていない限り、米国特許法第１１２条第６パラグラフの規定の下で解釈されるべきではない。
以下に、本願発明の出願当初の［特許請求の範囲］に記載された発明を付記する。
［１］
ワイヤレス通信における干渉を抑制する方法であって、
シンボルのバーストを受信するステップと、
第１の複数のウェイトを有する干渉抑制フィルタを使って、前記シンボルのバーストをフィルタリングするステップと、
前記シンボルのバーストに対応するデータを生成するために、前記フィルタリングされたシンボルのバーストを復号するステップと、
再符号化されたシンボルのバーストを生成するために、前記データを符号化するステップと、
前記再符号化されたシンボルのバーストに基づいて、前記干渉抑制フィルタについて第２の複数のウェイトを算出するステップと、
前記第２の複数のウェイトを有する前記干渉抑制フィルタを使って、前記再符号化されたシンボルのバーストをフィルタリングするステップと、
前記フィルタリングされた、再符号化されたシンボルのバーストを、復号するステップと、
を備える方法。
［２］
第１の複数のウェイトを有する干渉抑制フィルタを使って、前記シンボルのバーストを前記フィルタリングすることは、
前記シンボルのバーストについて複数のタイミング仮説を生成することと；
前記シンボルのバーストのサブセットに基づいて、前記干渉抑制フィルタについての対応する複数のウェイトを、各タイミング仮説について、算出することと；
各タイミング仮説について、前記対応する複数のウェイトを有する前記干渉抑制フィルタを使って、前記シンボルのバーストの前記サブセットをフィルタリングすることと；
選択基準に対応する、前記複数のタイミング仮説の１つを選択することと、なお、前記選択されたタイミング仮説は、前記第１の複数のウェイトに対応する；
前記第１の複数のウェイトを有する前記干渉抑制フィルタを使って、前記シンボルのバーストをフィルタリングすることと；
を備える、
［１］に記載の方法。
［３］
前記選択基準は、ミッドアンブル推定誤差である、［２］に記載の方法。
［４］
前記ミッドアンブル推定誤差は、各タイミング仮説について、
前記タイミング仮説に対応する推定チャネルを決定し、
推定ミッドアンブルシーケンスを取得するために、前記推定チャネルに関する単一アンテナ干渉キャンセルを実行し、そして
前記ミッドアンブル推定誤差を決定するために、前記推定ミッドアンブルシーケンスを、前に知られているミッドアンブルシーケンスと比較すること、
によって、算出される、
［３］に記載の方法。
［５］
各シンボルに対応する前記推定チャネルを前記決定することは、前記推定チャネル中のタップの数に対応する、前記サブセット中の所定の数の隣接シンボルを選択すること、を備える、
［４］に記載の方法。
［６］
前記複数のタイミング仮説を前記生成することは、前記シンボルのバーストにおける第１のミッドアンブルシンボルの位置を推定することと、前記推定位置を中心とするシンボルから、前記シンボルのバーストの前記サブセットを選択することと、を備える、
［２］に記載の方法。
［７］
各タイミング仮説についての前記第１の複数のウェイトは、
【数２１】
2012529252.tif 000017
を解くことによって算出される、
なお、
【数２２】
2012529252.tif 000018
はシンボルの前記サブセットの推定値に対応するベクトルであり、［Ｘ］は、前記シンボルのバーストの時空間サンプルの行列である、
［２］に記載の方法。
［８］
前記第２の複数のウェイトは、
【数２３】
2012529252.tif 000019
を解くことによって算出される、
なお、
【数２４】
2012529252.tif 000020
は、シンボルの前記サブセットの推定値に対応するベクトルであり、［Ｘ］は、前記シンボルのバーストの時空間サンプルの行列である、
［１］に記載の方法。
［９］
前記フィルタリングされたシンボルのバーストを前記復号することは、前記フィルタリングされたシンボルのバーストに関して誤り訂正を実行すること、を含む、
［１］に記載の方法。
［１０］
前記干渉抑制フィルタは、単一アンテナ干渉キャンセル（ＳＡＩＣ）フィルタまたはデュアルアンテナ干渉キャンセル（ＤＡＩＣ）フィルタである、
［１］に記載の方法。
［１１］
前記干渉抑制フィルタは、前記再符号化されたシンボルのバーストをフィルタリングするために、前記シンボルのバーストをフィルタリングするために使われるよりも高次のモデルを使う、
［１］に記載の方法。
［１２］
シンボルのバーストを受信するように構成されたアンテナと、
第１の複数のウェイトで、前記シンボルのバーストをフィルタリングするように構成された干渉抑制フィルタと、
前記シンボルのバーストに対応するデータを生成するために、前記フィルタリングされたシンボルのバーストを復号するように構成された復号器と、
再符号化シンボルのバーストを生成するために、前記データを符号化するように構成された符号器と、
前記再符号化シンボルのバーストに基づいて、前記干渉抑制フィルタについて第２の複数のウェイトを算出するように構成されたプロセッサと、
前記再符号化シンボルのバーストを、前記第２の複数のウェイトでフィルタリングするように構成された前記干渉抑制フィルタと、
前記フィルタリングされた再符号化シンボルのバーストを復号するように構成された前記復号器と、
を備える受信機。
［１３］
前記シンボルのバーストについて複数のタイミング仮説を生成するように構成されたタイミング推定器と；
前記シンボルのバーストのサブセットに基づいて、前記干渉抑制フィルタについて、対応する複数のウェイトを、各タイミング仮説について、算出するように構成された前記プロセッサと；
前記対応する複数のウェイトで、前記シンボルのバーストの前記サブセットをフィルタリングするように、各タイミング仮説について、構成された前記干渉抑制フィルタと；
選択基準に対応する前記複数のタイミング仮説の１つを選択するように構成された前記プロセッサと、なお、前記選択されたタイミング仮説は、前記第１の複数のウェイトに対応する：
前記第１の複数のウェイトで、前記シンボルのバーストをフィルタリングするように構成された前記干渉抑制フィルタと；
をさらに備える、［１２］に記載の受信機。
［１４］
前記選択基準は、ミッドアンブル推定誤差である、［１３］に記載の受信機。
［１５］
前記プロセッサは、各タイミング仮説について前記ミッドアンブル推定誤差を、
前記タイミング仮説に対応する推定チャネルを決定し、
推定ミッドアンブルシーケンスを取得するために、前記推定チャネルに関して単一アンテナ干渉キャンセルを実行し、そして、
前記ミッドアンブル推定誤差を決定するために、前記推定ミッドアンブルシーケンスを、前に知られているミッドアンブルシーケンスと比較する、
ことによって
算出するように構成されている、
［１４］に記載の受信機。
［１６］
各シンボルに対応する前記推定チャネルを前記決定することは、前記推定チャネル中のタップの数に対応する、前記サブセット中の所定の数の隣接シンボルを選択すること、を備える、［１５］に記載の受信機。
［１７］
前記タイミング推定器は、
前記シンボルのバースト中の第１のミッドアンブルシンボルの位置を推定し、前記推定位置を中心とするシンボルから、前記シンボルのバーストの前記サブセットを選択することによって、
前記複数のタイミング仮説を生成するように構成されている、
［１３］に記載の受信機。
［１８］
前記プロセッサは、
【数２５】
2012529252.tif 000021
を解くことによって、各タイミング仮説について前記第１の複数のウェイトを算出するように構成されており、
なお、
【数２６】
2012529252.tif 000022
は、シンボルの前記サブセットの推定値に対応するベクトルであり、［Ｘ］は、前記シンボルのバーストの時空間サンプルの行列である、
［１３］に記載の受信機。
［１９］
前記プロセッサは、
【数２７】
2012529252.tif 000023
を解くことによって、前記第２の複数のウェイトを算出するように構成されており、
なお、
【数２８】
2012529252.tif 000024
は、シンボルの前記サブセットの推定値に対応するベクトルであり、［Ｘ］は、前記シンボルのバーストの時空間サンプルの行列である、
［１２］に記載の受信機。
［２０］
前記フィルタリングされたシンボルのバーストを前記復号することは、前記フィルタリングされたシンボルのバーストについて誤り訂正を実行すること、を含む、
［１２］に記載の受信機。
［２１］
前記干渉抑制フィルタは、単一アンテナ干渉キャンセル（ＳＡＩＣ）フィルタまたはデュアルアンテナ干渉キャンセル（ＤＡＩＣ）フィルタである、
［１２］に記載の受信機。
［２２］
前記干渉抑制フィルタは、前記再符号化シンボルのバーストをフィルタリングするために、前記シンボルのバーストをフィルタリングするために使われるよりも高次のモデルを使うように構成されている、
［１２］に記載の受信機。
［２３］
シンボルのバーストを受信するための手段と、
第１の複数のウェイトで、前記シンボルのバーストをフィルタリングするための干渉抑制手段と、
前記シンボルのバーストに対応するデータを生成するために、前記フィルタリングされたシンボルのバーストを復号するための復号化手段と、
再符号化シンボルのバーストを生成するために、前記データを符号化するための手段と、
前記再符号化シンボルのバーストに基づいて、前記干渉抑制手段について第２の複数のウェイトを算出するための手段と、
前記第２の複数のウェイトで、前記再符号化シンボルのバーストをフィルタリングするための前記干渉抑制手段と、
前記フィルタリングされた再符号化シンボルのバーストを復号するための前記復号化手段と、
を備える受信機。
［２４］
前記シンボルのバーストについて複数のタイミング仮説を生成するための手段と；
前記シンボルのバーストのサブセットに基づいて、前記干渉抑制手段について対応する複数のウェイトを、各タイミング仮説について、算出するための手段と；
前記対応する複数のウェイトで、前記シンボルのバーストの前記サブセットを、各タイミング仮説について、フィルタリングするための前記干渉抑制手段と；
選択基準に対応する、前記複数のタイミング仮説の１つを選択するための手段と、なお、前記選択されたタイミング仮説は、前記第１の複数のウェイトに対応する；
前記第１の複数のウェイトで、前記シンボルのバーストをフィルタリングするための前記干渉抑制手段と；
をさらに備える、［２３］に記載の受信機。
［２５］
前記選択基準は、ミッドアンブル推定誤差である、［２４］に記載の受信機。
［２６］
各タイミング仮説について前記ミッドアンブル推定誤差を算出するための前記手段は、
前記タイミング仮説に対応する推定チャネルを決定するための手段と、
推定ミッドアンブルシーケンスを取得するために、前記推定チャネルに関して単一アンテナ干渉キャンセルを実行するための手段と、
前記ミッドアンブル推定誤差を決定するために、前記推定ミッドアンブルシーケンスを、前に知られているミッドアンブルシーケンスと比較するための手段と、
を備える、
［２５］に記載の受信機。
［２７］
各シンボルに対応する前記推定チャネルを決定するための前記手段は、前記推定チャネル中のタップの数に対応する、前記サブセット中の所定の数の隣接シンボルを選択するための手段を備える、
［２６］に記載の受信機。
［２８］
前記複数のタイミング仮説を生成するための前記手段は、前記シンボルのバースト中の第１のミッドアンブルシンボルの位置を推定するための手段と、前記推定位置を中心とするシンボルから、前記シンボルのバーストの前記サブセットを選択するための手段と、を備える、
［２４］に記載の受信機。
［２９］
各タイミング仮説について前記第１の複数のウェイトを算出するための前記手段は、
【数２９】
2012529252.tif 000025
を解くための手段を備え、
【数３０】
2012529252.tif 000026
は、シンボルの前記サブセットの推定値に対応するベクトルであり、［Ｘ］は、前記シンボルのバーストの時空間サンプルの行列である、
［２４］に記載の受信機。
［３０］
前記第２の複数のウェイトを算出するための前記手段は、
【数３１】
2012529252.tif 000027
を解くための手段を備え、
【数３２】
2012529252.tif 000028
は、シンボルの前記サブセットの推定値に対応するベクトルであり、［Ｘ］は、前記シンボルのバーストの時空間サンプルの行列である、
［２３］に記載の受信機。
［３１］
前記フィルタリングされたシンボルのバーストを前記復号することは、前記フィルタリングされたシンボルのバーストについて誤り訂正を実行すること、を含む、
［２３］に記載の受信機。
［３２］
前記干渉抑制手段は、単一アンテナ干渉キャンセル（ＳＡＩＣ）フィルタまたはデュアルアンテナ干渉キャンセル（ＤＡＩＣ）フィルタを備える、［２３］に記載の受信機。
［３３］
前記干渉抑制手段は、前記再符号化シンボルのバーストをフィルタリングするために、前記シンボルのバーストをフィルタリングするために使われるよりも高次のモデルを使うように構成されている、［２３］に記載の受信機。
［３４］
ワイヤレス通信における干渉を抑制するための命令を備える機械可読媒体であって、
前記命令は、
シンボルのバーストを受信し、
第１の複数のウェイトを有する干渉抑制フィルタを使って、前記シンボルのバーストをフィルタリングし、
前記シンボルのバーストに対応するデータを生成するために、前記フィルタリングされたシンボルのバーストを復号し、
再符号化シンボルのバーストを生成するために、前記データを符号化し、
前記再符号化シンボルのバーストに基づいて、前記干渉抑制フィルタについて第２の複数のウェイトを算出し、
前記第２の複数のウェイトを有する前記干渉抑制フィルタを使って、前記再符号化シンボルのバーストをフィルタリングし、そして、
前記フィルタリングされた再符号化シンボルのバーストを復号する、
ためのコードを備える、
機械可読媒体。
［３５］
前記命令は、
前記シンボルのバーストについて複数のタイミング仮説を生成し；
前記シンボルのバーストのサブセットに基づいて、前記干渉抑制フィルタについて、対応する複数のウェイトを、各タイミング仮説について、算出し；
各タイミング仮説について、前記対応する複数のウェイトを有する前記干渉抑制フィルタを使って、前記シンボルのバーストの前記サブセットをフィルタリングし；
選択基準に対応する、前記複数のタイミング仮説の１つを選択し、なお、前記選択されたタイミング仮説は、前記第１の複数のウェイトに対応する；そして、
前記第１の複数のウェイトを有する前記干渉抑制フィルタを使って、前記シンボルのバーストをフィルタリングする；
ためのコードをさらに備える、
［３４］に記載の機械可読媒体。
［３６］
前記選択基準は、ミッドアンブル推定誤差である、［３５］に記載の機械可読媒体。
［３７］
前記ミッドアンブル推定誤差は、
前記タイミング仮説に対応する推定チャネルを決定すること、
推定ミッドアンブルシーケンスを取得するために、前記推定チャネルについて単一アンテナ干渉キャンセルを実行すること、および
前記ミッドアンブル推定誤差を決定するために、前記推定ミッドアンブルシーケンスを、前に知られているミッドアンブルシーケンスと比較すること、
によって、各タイミング仮説について、算出される、
［３６］に記載の機械可読媒体。
［３８］
各シンボルに対応する前記推定チャネルを前記決定することは、前記推定チャネル中のタップの数に対応する、前記サブセット中の所定の数の隣接シンボルを選択すること、を備える、
［３７］に記載の機械可読媒体。
［３９］
前記複数のタイミング仮説を前記生成することは、前記シンボルのバーストにおける第１のミッドアンブルシンボルの位置を推定することと、前記推定位置を中心とするシンボルから、前記シンボルのバーストの前記サブセットを選択することと、を備える、［３５］に記載の機械可読媒体。
［４０］
各タイミング仮説について前記第１の複数のウェイトは、
【数３３】
2012529252.tif 000029
を解くことによって算出され、
【数３４】
2012529252.tif 000030
は、シンボルの前記サブセットの推定値に対応するベクトルであり、［Ｘ］は、前記シンボルのバーストの時空間サンプルの行列である、
［３５］に記載の機械可読媒体。
［４１］
前記第２の複数のウェイトは、
【数３５】
2012529252.tif 000031
を解くことによって算出され、
【数３６】
2012529252.tif 000032
は、シンボルの前記サブセットの推定値に対応するベクトルであり、［Ｘ］は、前記シンボルのバーストの時空間サンプルの行列である、
［３４］に記載の機械可読媒体。
［４２］
前記フィルタリングされたシンボルのバーストを前記復号することは、前記フィルタリングされたシンボルのバーストについて誤り訂正を実行すること、を含む、［３４］に記載の機械可読媒体。
［４３］
前記干渉抑制フィルタは、単一アンテナ干渉キャンセル（ＳＡＩＣ）フィルタまたはデュアルアンテナ干渉キャンセル（ＤＡＩＣ）フィルタである、［３４］に記載の機械可読媒体。
［４４］
前記干渉抑制フィルタは、前記再符号化シンボルのバーストをフィルタリングするために、前記シンボルのバーストをフィルタリングするために使われるよりも高次のモデルを使うように構成されている、［３４］に記載の機械可読媒体。